(57)【要約】【課題】製氷機の運転を停止する必要が生じた際に、簡単な操作で製氷水タンク内の水を排出して、長期間に亘ってタンク内に水が残留することにより生ずる問題の発生を未然に防止する。【解決手段】自動製氷機１０は、水皿１８を閉成位置に保持した状態で製氷小室内に氷塊を生成する製氷工程と、開閉機構２２により水皿１８を開放位置に向けて傾動させて製氷小室から氷塊を離脱させると共に製氷水タンク２０内の水を排出する除氷工程とを繰り返す。そして、自動製氷機１０の主電源をオフした状態で、副電源をオンしたときには、開閉機構２２を作動して水皿１８および製氷水タンク２０を開放位置に向けて傾動し、タンク２０内の水を排出して開放位置に保持する。【選択図】図１
2005127543.tif 000002
【特許請求の範囲】
【請求項１】
冷凍系に接続する蒸発器(34)を介して冷却され、下方に開口する複数の製氷小室を備えた製氷室(16)と、所定量の製氷水が貯留されると共に、開閉機構(22)により前記製氷小室を下方から閉成する上方の閉成位置および該製氷小室を開放する下方の開放位置の間を傾動される水皿(18)を一体に備える製氷水タンク(20)を有し、前記水皿(18)を閉成位置に保持した状態で製氷小室内に氷塊を生成する製氷工程と、前記開閉機構(22)により前記水皿(18)を開放位置に向けて傾動させて製氷小室から氷塊を離脱させると共に製氷水タンク(20)内の水を排出する除氷工程とを繰り返す自動製氷機において、
自動製氷機の主電源をオフした状態で、副電源をオンしたときには、前記開閉機構(22)を作動して前記水皿(18)および製氷水タンク(20)を開放位置に向けて傾動し、タンク(20)内の水を排出して開放位置に保持するようにした
ことを特徴とする自動製氷機の運転方法。
【請求項２】
複数の自動製氷機の開閉機構(22)へ副電源からの電気の供給と停止とを切換え可能な統括スイッチ(SW4)を、前記主電源をオフした状態でオンしたときには、全ての自動製氷機の開閉機構(22)を作動して各水皿(18)および製氷水タンク(20)を開放位置に向けて傾動し、タンク(20)内の水を排出して開放位置に保持するようにした請求項１記載の自動製氷機の運転方法。
【請求項３】
冷凍系に接続する蒸発器(34)を介して冷却され、下方に開口する複数の製氷小室を備えた製氷室(16)と、所定量の製氷水が貯留されると共に、開閉機構(22)により前記製氷小室を下方から閉成する上方の閉成位置および該製氷小室を開放する下方の開放位置の間を傾動される水皿(18)を一体に備える製氷水タンク(20)を有し、前記水皿(18)を閉成位置に保持した状態で製氷小室内に氷塊を生成する製氷工程と、前記開閉機構(22)により前記水皿(18)を開放位置に向けて傾動させて製氷小室から氷塊を離脱させると共に製氷水タンク(20)内の水を排出する除氷工程とを繰り返す自動製氷機において、
前記水皿(18)および製氷水タンク(20)を開放位置に向けて傾動し、タンク(20)内の水を排出して開放位置に保持するよう前記開閉機構(22)を作動制御する排水用スイッチ(SW3)を備える
ことを特徴とする自動製氷機。
【請求項４】
冷凍系に接続する蒸発器(34)を介して冷却され、下方に開口する複数の製氷小室を備えた製氷室(16)と、所定量の製氷水が貯留されると共に、開閉機構(22)により前記製氷小室を下方から閉成する上方の閉成位置および該製氷小室を開放する下方の開放位置の間を傾動される水皿(18)を一体に備える製氷水タンク(20)を有し、前記水皿(18)を閉成位置に保持した状態で製氷小室内に氷塊を生成する製氷工程と、前記開閉機構(22)により前記水皿(18)を開放位置に向けて傾動させて製氷小室から氷塊を離脱させると共に製氷水タンク内の水を排出する除氷工程とを繰り返す自動製氷機において、
前記製氷水タンク(20)における閉成位置および開放位置の何れの状態においてもタンク(20)内の全ての水を排出し得る部位に排水口を設けると共に、該排水口を開閉する排水バルブ(Pv)を有し、該排水バルブ(Pv)は、自動製氷機への通電状態では閉成し、非通電状態となったときには開放するよう構成されている
ことを特徴とする自動製氷機。
【発明の詳細な説明】
【技術分野】
【０００１】
この発明は、自動製氷機および運転方法に関し、更に詳細には、自動製氷機の電源をオフしたときに製氷水タンク内に残留している水を強制的に排出することができる自動製氷機および運転方法に関するものである。
【背景技術】
【０００２】
下向きに開口する多数の製氷小室に製氷水を下方から噴射供給して、角氷(氷塊)を連続的に製造する噴射式の自動製氷機(例えば、特許文献１参照)が、喫茶店やレストラン等の施設その他の厨房で好適に使用されている。この自動製氷機の概略構成を説明すれば、製氷機内に水平に配置した製氷室に、下方に開口する製氷小室が碁盤目状に多数画成されると共に、該製氷室の上面には、冷凍系に連通する蒸発器が密着的に蛇行配置される。また製氷室の直下には、支軸を介して水皿が傾動可能に枢支されると共に、該水皿の下部には所定量の製氷水を貯留する製氷水タンクが一体的に設けられている。
【０００３】
前記自動製氷機では、製氷工程において前記製氷小室を下方から閉成する閉成位置に水皿を保持した状態で、前記蒸発器に冷媒を循環供給して製氷小室を強制的に冷却すると共に、製氷水タンク内の製氷水を水皿を介して製氷小室に噴射供給することで、該小室内に角氷を生成する。そして、角氷の生成を製氷完了検知手段が検知すると、製氷工程から除氷工程に移行し、前記蒸発器にホットガスを循環供給して製氷室を加熱すると共に、開閉機構により水皿を支軸を中心として斜め下方の開放位置へ傾動して、製氷小室を開放するよう構成される。なお、製氷工程が完了した時点で前記製氷水タンクに残留している製氷水は、該製氷水タンクが除氷工程により水皿と共に傾動することで外部に排出されるようになっている。この除氷工程において、ホットガスの循環供給により製氷小室と角氷との氷結部が融解し、該角氷は自重により製氷小室から離脱落下し、開放位置の水皿上を滑落してストッカーに貯留される。製氷室からの角氷の離脱を除氷完了検知手段が検知することで、除氷工程から製氷工程に移行し、前記水皿が再び閉成位置に復帰するよう構成されている。
【特許文献１】特開平３−１２９２７５号公報
【発明の開示】
【発明が解決しようとする課題】
【０００４】
自動製氷機の使用者が、何らかの理由により製氷機の運転を停止しようとして電源をオフすると、製氷工程中であれば水皿および製氷水タンクは閉成位置に上昇したまま停止するため、該製氷水タンク内には製氷水が残留したままとなり、長時間放置されると水が腐敗したり濃縮するおそれがあり、また水アカが付着して汚れる問題を招く。これを防止する手段として、自動製氷機は電源をオンしたときには除氷工程から開始するよう設定されていることを利用し、電源を一旦オフした後にすぐに電源をオン(再通電)すると、水皿および製氷水タンクは開放位置に向けて傾動を開始するから、これにより製氷水タンク内に残留している製氷水を排出することができる。
【０００５】
ここで、電源をオフした時点の運転状態によって、再度電源をオンした後の自動製氷機の動作に違いを生ずる。
(1)製氷初期でまだ角氷ができていない状態で電源をオフし、すぐに再通電すると、直ちに閉成位置の水皿および製氷水タンクは下降し、比較的短時間で水皿および製氷水タンクは上昇に転ずる。
(2)製氷完了直前で角氷が充分にできている状態で電源をオフし、すぐに再通電すると、直ちに閉成位置の水皿および製氷水タンクは下降するが、角氷ができているために水皿および製氷水タンクが上昇に転ずるのには時間が掛かる。
(3)除氷初期で製氷室には角氷がある状態で電源をオフし、すぐに再通電すると、角氷があるために水皿および製氷水タンクが上昇に転ずるのに、時間が掛かる。
(4)除氷終了直前の状態、または水皿および製氷水タンクが上昇中の状態で電源をオフし、すぐに再通電すると、再通電後間も無く水皿および製氷水タンクは上昇する。
【０００６】
この場合において、自動製氷機では、除氷工程が完了して開放位置の水皿および製氷水タンクが上昇を開始すると同時に、水皿および製氷水タンクに給水が開始されるようになっている。従って、再通電後に再び電源をオフするときには、前記水皿および製氷水タンクが開放位置にあることが必要となる。しかるに、前記(4)の場合では、再通電によって水皿および製氷水タンクが上昇を開始するため、該タンクには新たな製氷水が供給されてしまい、該製氷水を排出することはできない。従って、水皿および製氷水タンクが閉成位置に復帰した後に、再度電源をオフした後にオンする操作が必要となる。
【０００７】
前記(2)および(3)の場合は、水皿および製氷水タンクが開放位置に保持されている時間が長いから、再通電後の比較的短時間の内に電源をオフすれば、該水皿および製氷水タンクは開放位置に保持され、再び製氷水が供給されることはない。
【０００８】
これに対し、前記(1)の場合は、水皿および製氷水タンクが開放位置に保持されている時間は短かいから、再通電後に再び電源をオフする時点で、該水皿および製氷水タンクの上昇が開始されてしまっていると、前記(4)の場合と同様に新たな製氷水が製氷水タンクに溜ったままとなってしまう。
【０００９】
すなわち、前記(1)〜(4)の何れの場合においても、再通電後に再び電源をオフするときには、前記水皿および製氷水タンクが開放位置に保持されていなければならず、作業者は水皿および製氷水タンクの状態を確認してから、再通電後の電源オフを行なう必要がある。しかし、水皿および製氷水タンクの状態は、製氷機のカバーを外すか、あるいは製氷機の内部を氷取出口等から覗き込む必要があり、使用者にとっては困難で煩わしい作業となる。
【００１０】
すなわちこの発明は、従来の技術に係る自動製氷機に内在している前記課題に鑑み、これを好適に解決するべく提案されたものであって、製氷機の運転を停止する必要が生じた際に、簡単な操作で製氷水タンク内の水を排出して、長期間に亘ってタンク内に水が残留することにより生ずる問題の発生を未然に防止し得る自動製氷機および運転方法を提供することを目的とする。
【課題を解決するための手段】
【００１１】
前記課題を克服し、所期の目的を達成するため、本発明に係る自動製氷機の運転方法は、
冷凍系に接続する蒸発器を介して冷却され、下方に開口する複数の製氷小室を備えた製氷室と、所定量の製氷水が貯留されると共に、開閉機構により前記製氷小室を下方から閉成する上方の閉成位置および該製氷小室を開放する下方の開放位置の間を傾動される水皿を一体に備える製氷水タンクを有し、前記水皿を閉成位置に保持した状態で製氷小室内に氷塊を生成する製氷工程と、前記開閉機構により前記水皿を開放位置に向けて傾動させて製氷小室から氷塊を離脱させると共に製氷水タンク内の水を排出する除氷工程とを繰り返す自動製氷機において、
自動製氷機の主電源をオフした状態で、副電源をオンしたときには、前記開閉機構を作動して前記水皿および製氷水タンクを開放位置に向けて傾動し、タンク内の水を排出して開放位置に保持するようにしたことを特徴とする。
【００１２】
前記課題を克服し、所期の目的を達成するため、本発明に係る自動製氷機は、
冷凍系に接続する蒸発器を介して冷却され、下方に開口する複数の製氷小室を備えた製氷室と、所定量の製氷水が貯留されると共に、開閉機構により前記製氷小室を下方から閉成する上方の閉成位置および該製氷小室を開放する下方の開放位置の間を傾動される水皿を一体に備える製氷水タンクを有し、前記水皿を閉成位置に保持した状態で製氷小室内に氷塊を生成する製氷工程と、前記開閉機構により前記水皿を開放位置に向けて傾動させて製氷小室から氷塊を離脱させると共に製氷水タンク内の水を排出する除氷工程とを繰り返す自動製氷機において、
前記水皿および製氷水タンクを開放位置に向けて傾動し、タンク内の水を排出して開放位置に保持するよう前記開閉機構を作動制御する排水用スイッチを備えることを特徴とする。
【００１３】
前記課題を克服し、所期の目的を達成するため、本発明に係る自動製氷機は、
冷凍系に接続する蒸発器を介して冷却され、下方に開口する複数の製氷小室を備えた製氷室と、所定量の製氷水が貯留されると共に、開閉機構により前記製氷小室を下方から閉成する上方の閉成位置および該製氷小室を開放する下方の開放位置の間を傾動される水皿を一体に備える製氷水タンクを有し、前記水皿を閉成位置に保持した状態で製氷小室内に氷塊を生成する製氷工程と、前記開閉機構により前記水皿を開放位置に向けて傾動させて製氷小室から氷塊を離脱させると共に製氷水タンク内の水を排出する除氷工程とを繰り返す自動製氷機において、
前記製氷水タンクにおける閉成位置および開放位置の何れの状態においてもタンク内の全ての水を排出し得る部位に排水口を設けると共に、該排水口を開閉する排水バルブを有し、該排水バルブは、自動製氷機への通電状態では閉成し、非通電状態となったときには開放するよう構成されていることを特徴とする。
【発明の効果】
【００１４】
請求項１に係る発明の自動製氷機の運転方法によれば、主電源とは別の副電源をオンするだけで、製氷水タンクを開放位置まで傾動して水を排出した状態で該位置に保持し得るようにしたから、該タンク内の水を確実に排出することができ、タンク内に水が長期間に亘って残留することに起因して生ずる各種問題の発生を未然に防止することができる。また、副電源をオンするだけの簡単な操作で実施し得るから、作業者が製氷水タンクの状態を確認する等の煩雑な作業を行なう必要もない。
【００１５】
請求項２に係る発明の自動製氷機の運転方法によれば、副電源からの電気の供給と停止とを切換え可能な統括スイッチをオンするだけで、複数の自動製氷機における各製氷水タンクを開放位置まで傾動して水を排出することができる。すなわち、各自動製氷機毎に排水のための操作を行なう必要はなく、作業は簡単となる。
【００１６】
請求項３に係る発明の自動製氷機によれば、排水用スイッチをオンするだけで、製氷水タンクを開放位置まで傾動して水を排出した状態で該位置に保持することができ、タンク内に水が長期間に亘って残留することに起因して生ずる各種問題の発生を未然に防止し得る。また、排水用スイッチをオンするだけの簡単な操作で実施し得るから、作業者が製氷水タンクの状態を確認する等の煩雑な作業を行なう必要もない。
【００１７】
請求項４に係る発明の自動製氷機によれば、製氷水タンクが閉成位置および開放位置の何れの状態においてもタンク内の水を全排出し得る排水口を製氷水タンクに設けると共に、自動製氷機が非通電状態となったときに排水口を開放する排水バルブを設けたから、製氷水タンクの状態に拘らず、タンク内の水を確実に排出することができ、タンク内に水が長期間に亘って残留することに起因して生ずる各種問題の発生を未然に防止し得る。すなわち、作業者は製氷水タンクの状態を確認する等の煩雑な作業を行なう必要はない。また、自動製氷機を停止させるための操作をするだけで、製氷水タンク内の水を排出することができるから、作業者の負担を軽減し得る。
【発明を実施するための最良の形態】
【００１８】
次に、本発明に係る自動製氷機および運転方法につき、好適な実施例を挙げて、添付図面を参照して以下に説明する。
【実施例１】
【００１９】
図１は、実施例に係る自動製氷機の概略構成を示すものであって、該自動製氷機１０は、機体上部に配設された製氷機構１２と、機体下部に設置された冷凍機構１４とから基本的に構成される。製氷機構１２は、下方に開口する複数の製氷小室を備えた製氷室１６と、下部に製氷水タンク２０を一体に備えた水皿１８と、製氷水タンク２０に配設されたポンプモータＰＭとから基本的に構成されている。また水皿１８は、その一端部が支軸(図示せず)を介して回動可能に軸支されると共に、他端部は開閉機構２２に連繋されており、該開閉機構２２におけるアクチュエータモータＡＭの正逆回転に伴って水皿１８は軸支部を支点として正逆方向に傾動し、前記製氷小室を下方から閉成する水平な閉成位置と、該小室を開放する下方で傾斜する開放位置とに位置決めされるよう構成されている。
【００２０】
前記水皿１８の製氷室１６と対向する部分には、製氷小室の夫々に対して製氷水を噴射供給するための噴水孔と、該噴水孔に隣接して未氷結水を前記製氷水タンク２０に回収するための戻り孔(何れも図示せず)とが多数穿設されている。そして、前記ポンプモータＰＭを運転することで、タンク内の製氷水を前記多数の噴水孔から各製氷小室内に噴射供給するよう構成される。なお、未氷結水は戻り孔を介して製氷水タンク２０に帰還されて再循環に供給されるようになっている。
【００２１】
前記開閉機構２２は、アクチュエータモータＡＭにより回転される第１カム体２４および第２カム体２６を備えると共に、両カム体２４,２６の回転軌跡には、後述する主制御回路ＥＣ1に接続する検知手段としての切換スイッチＳＷ2が配設されている。すなわち、前記水皿１８がアクチュエータモータＡＭにより開放位置から上昇されて閉成位置に到来した際に、第１カム体２４が切換スイッチＳＷ2を切換える(接点を逆転側「ｃ」から正転側「ｂ」に切換える)ことで、該切換スイッチＳＷ2が閉成位置の検知状態となり、このときに主制御回路ＥＣ1のマイコンＰＣがアクチュエータモータＡＭの回転を停止(逆転停止)することで水皿１８を閉成位置に保持するよう設定される。また、水皿１８がアクチュエータモータＡＭにより閉成位置から下降されて開放位置に到来した際に、第２カム体２６が切換スイッチＳＷ2を切換える(接点を正転側「ｂ」から逆転側「ｃ」に切換える)ことで、該切換スイッチＳＷ2が開放位置の検知状態となり、このときに主制御回路ＥＣ1のマイコンＰＣがアクチュエータモータＡＭの回転を停止(正転停止)することで水皿１８を開放位置に保持するよう設定されている。
【００２２】
前記製氷水タンク２０の下方には、除氷工程時に傾動した該タンク２０から排出される製氷水(製氷残水)を回収する排水皿２８が配設され、該排水皿２８に回収した製氷残水は、排水皿２８に設けられた排水孔２８ａから機外に排出されるようになっている。また、製氷水タンク２０には、その開放端(軸支側とは反対側の端)およびタンク外底面に対し所要の隙間を保持して、水案内板３０が配設され、タンク傾動時に開放端から放出される製氷残水を、前記排水皿２８に向けて案内して排出し得るよう構成してある。なお、タンク外底面の下方に臨む水案内板３０の開放端が、製氷水タンク２０からの製氷水の排出口となる。
【００２３】
前記冷凍機構１４は、圧縮機ＣＭ、凝縮器３２、ファンモータＦＭ、キャピラリーチューブ(図示せず)および前記製氷室１６の上面に配設された蒸発器３４等から構成されている。蒸発器３４には、冷凍機構１４の運転により製氷工程では冷媒が循環供給されて製氷室１６の強制冷却を行なうと共に、除氷工程では冷凍系のホットガス弁ＨＶ(図２参照)の切換えによりホットガスが循環供給されて製氷小室と角氷(氷塊)との氷結部の融解を促進するよう構成される。また水皿１８の上部には、外部水道系に接続する給水管３６が臨み、該給水管３６には給水弁ＷＶが介挿されている。そして、給水弁ＷＶは、除氷工程に際して主制御回路ＥＣ1に接続される図示しない融氷タイマの設定時間だけ開弁(オン)され、給水管３６から開放位置の水皿１８上に供給された常温の水により、該水皿１８上に氷結している氷片を融解させるようになっている。また給水弁ＷＶは、除氷工程から製氷工程に移行した際に図示しない給水タイマの設定時間だけ開弁され、この水が水皿１８を介して製氷水タンク２０に貯留されて次回の製氷水として使用されるようになっている。
【００２４】
前記製氷室１６に、主制御回路ＥＣ1に接続する製氷サーミスタＴＨが配設され、製氷工程に際して該製氷室１６が製氷完了温度まで達したことを該製氷サーミスタＴＨが検知したとき、主制御回路ＥＣ1は製氷工程から除氷工程に移行する制御を行なうよう設定されている。また除氷工程に際して製氷室１６が除氷完了温度まで達したことを製氷サーミスタＴＨが検知したときには、主制御回路ＥＣ1は除氷工程から製氷工程に移行する制御を行なうよう設定されている。
【００２５】
前記製氷機構１２の下方に貯氷室３８が画成され、該製氷機構１２で製造される角氷は、該貯氷室３８に貯留されるようになっている。この貯氷室３８の内部には、該貯氷室３８に貯留される角氷の量によって作動する貯氷スイッチＳＷ1が配設される。そして、角氷により貯氷スイッチＳＷ1が作動されて検知状態(オン)になると、前記マイコンＰＣは、角氷が満杯であると判断して製氷−除氷運転を停止して角氷を製造しない停止状態に移行させ、また角氷が消費されて少なくなることで貯氷スイッチＳＷ1が元の非検知状態(オフ)に戻ると製氷−除氷運転を再開するよう運転制御する。
【００２６】
図２は、実施例に係る自動製氷機の主制御回路ＥＣ1を示すものであって、本願発明に関連する主要構成部分についてのみ説明し、その他の部分については説明を省略する。主電源に接続するラインＰ１,Ｎ１間に、第１漏電遮断器ＥＬＢ1と後述する副制御回路ＥＣ2のリレーＲ4が並列に接続され、該第１漏電遮断器ＥＬＢ1の開閉操作により、前記圧縮機ＣＭ、アクチュエータモータＡＭ、ポンプモータＰＭ、ファンモータＦＭ、ホットガス弁ＨＶおよび給水弁ＷＶ等の各負荷への主電源からの電気の供給と停止とが切換えられる。
【００２７】
主制御回路ＥＣ1のマイコンＰＣに、リレーＸ1,Ｘ2,Ｘ3,Ｘ4(図示せず)が配設されると共に、前記貯氷スイッチＳＷ1および製氷サーミスタＴＨが接続される。前記切換スイッチＳＷ2の正転側の固定接点「ｂ」が、前記リレーＸ1の常開接点Ｘ1−ａを介して前記アクチュエータモータＡＭの正転側の接点に接続されると共に、該切換スイッチＳＷ2の逆転側の固定接点「ｃ」が、リレーＸ1の常閉接点Ｘ1−１ｂおよび副制御回路ＥＣ2を介してアクチュエータモータＡＭの逆転側の接点に接続される。なお、アクチュエータモータＡＭとラインＮ１とが、副制御回路ＥＣ2を介して接続されると共に、アクチュエータモータＡＭの正転側の接点が副制御回路ＥＣ2に接続されている。また切換スイッチＳＷ2の正転側の固定接点「ｂ」が、リレーＸ1の常閉接点Ｘ1−２ｂおよび副制御回路ＥＣ2を介して前記ポンプモータＰＭに接続されている。
【００２８】
前記切換スイッチＳＷ2の可動接点「ａ」に副制御回路ＥＣ2を介して接続するリレーＸ2の常開接点Ｘ2−ａに、前記ファンモータＦＭが接続されると共に、該リレーＸ2の常閉接点Ｘ2−ｂに、前記ホットガス弁ＨＶが接続される。すなわち、リレーＸ2の消磁状態では、ファンモータＦＭは停止(オフ)で、ホットガス弁ＨＶは開放(オン)し、該リレーＸ2の励磁状態では、ファンモータＦＭは運転(オン)で、ホットガス弁ＨＶは閉成(オフ)するよう設定される。また、切換スイッチＳＷ2の可動接点「ａ」に副制御回路ＥＣ2を介して接続する前記リレーＸ3の常開接点Ｘ3−ａに、前記給水弁ＷＶが接続される。更に、主電源に接続する前記リレーＸ4の常開接点Ｘ4−ａに、前記圧縮機ＣＭが接続される。そして、該リレーＸ4の励磁と消磁とにより、圧縮機ＣＭを含めた前述した各負荷への主電源からの電気の供給と停止とが制御されるようになっている。
【００２９】
前記リレーＸ1は、前記製氷サーミスタＴＨが除氷完了温度を検知したときに消磁され、該サーミスタＴＨが製氷完了温度を検知したときに励磁されるよう設定されるのに対し、前記リレーＸ2,Ｘ3は、製氷サーミスタＴＨが除氷完了温度を検知したときに励磁され、該サーミスタＴＨが製氷完了温度を検知したときに消磁されるよう設定される。また前記リレーＸ4は、前記貯氷スイッチＳＷ1が検知状態(オン)となったときに消磁され、該スイッチＳＷ1が非検知状態(オフ)となったときに励磁されるよう設定される。更に、前記リレーＸ1は、前記貯氷スイッチＳＷ1が検知状態(オン)となったときに消磁されるよう設定され、例えば前記水皿１８が開放位置で貯氷スイッチＳＷ1が検知状態(オン)になると、前記マイコンＰＣは直ちに停止状態に移行させるよう構成される。すなわち、この停止状態では、リレーＸ4の消磁(圧縮機ＣＭのオフ)、リレーＸ1の消磁(アクチュエータモータＡＭの逆転側への回転可能状態)、リレーＸ2の消磁(ホットガス弁ＨＶへの通電可能状態)、リレーＸ3の消磁(給水弁ＷＶのオフ)となるよう設定される。
【００３０】
図３は、前記主制御回路ＥＣ1に接続される排水制御用の副制御回路ＥＣ2を示すものであって、主制御回路ＥＣ1から切り離した状態で示している。この副制御回路ＥＣ2は、主電源とは別の副電源に接続するラインＰ２とラインＮ２との間に、第２漏電遮断機ＥＬＢ2と、リレーＲ4の常閉接点Ｒ4−１ｂに直列接続する第１ランプＬ1とが並列に接続される。ラインＰ２に接続するリレーＲ4の常閉接点Ｒ4−２ｂと、ラインＮ２に接続するリレーＲ4の常閉接点Ｒ4−３ｂとは、排水用スイッチＳＷ3に接続され、該スイッチＳＷ3のオン−オフ操作により、副制御回路ＥＣ2に設けられる各リレーＲ1,Ｒ2,Ｒ3および前記アクチュエータモータＡＭへの副電源からの電気の供給と停止とが制御されるよう構成してある。この排水用スイッチＳＷ3には、リレーＲ1と、リレーＲ3の常開接点Ｒ3−ａに直列接続されるリレーＲ2が並列に接続される。なお、リレーＲ2とラインＰ２の間には、前記常開接点Ｒ3−ａと並列の関係でリレーＲ2の常開接点Ｒ2−１ａが接続されている。ラインＰ２に接続するリレーＲ1の常開接点Ｒ1−１ａが、前記切換スイッチＳＷ2の可動接点「ａ」と、常開接点Ｘ2−ａ,常閉接点Ｘ2−ｂおよび常開接点Ｘ3−ａとを接続する線における可動接点「ａ」側の点「Ａ２」に接続されると共に、該常開接点Ｒ1−１ａに直列接続されるリレーＲ1の常閉接点Ｒ1−１ｂが、常開接点Ｘ2−ａ,常閉接点Ｘ2−ｂおよび常開接点Ｘ3−ａ側の点「Ａ１」に接続されている。なお、前記第１ランプＬ1は、消灯することで、前記主制御回路ＥＣ1への主電源の通電状態を知らせるべく機能する。
【００３１】
前記ラインＮ２に接続するリレーＲ1の常開接点Ｒ1−２ａが、前記アクチュエータモータＡＭとラインＮ１とを接続する線におけるアクチュエータモータＡＭ側の点「Ｂ２」に接続されると共に、該常開接点Ｒ1−２ａに直列接続されるリレーＲ1の常閉接点Ｒ1−２ｂが、ラインＮ１側の点「Ｂ１」に接続されている。またラインＮ２に接続するリレーＲ3と直列接続されるリレーＲ1の常開接点Ｒ1−３ａが、前記ポンプモータＰＭと常閉接点Ｘ1−２ｂとを接続する線における常閉接点Ｘ1−２ｂ側の点「Ｄ１」に接続されると共に、該常開接点Ｒ1−３ａに直列接続されるリレーＲ1の常閉接点Ｒ1−３ｂが、ポンプモータＰＭ側の点「Ｄ２」に接続されている。更に、常閉接点Ｒ1−３ｂと並列の関係で常開接点Ｒ1−３ａに直列接続されるリレーＲ2の常開接点Ｒ2−２ａが、アクチュエータモータＡＭとその正転側の接点とを接続する線の点「Ｆ」に接続されている。
【００３２】
前記ラインＮ２に第２ランプＬ2を介して接続するリレーＲ2の常開接点Ｒ2−３ａが、前記アクチュエータモータＡＭの逆転側の接点と常閉接点Ｘ1−１ｂとを接続する線における常閉接点Ｘ1−１ｂ側の点「Ｃ１」に接続されると共に、該常開接点Ｒ2−３ａに直列接続されるリレーＲ2の常閉接点Ｒ2−ｂが、逆転側の接点側の点「Ｃ２」に接続されている。なお、前記第１漏電遮断器ＥＬＢ1と常開接点Ｘ4−ａとの間のラインＰ１およびラインＮ１の点「Ｅ１」,「Ｅ２」間に、リレーＲ4が接続されている。前記第２ランプＬ2は、後述する排水制御運転に際して点灯することで、前記水皿１８および製氷水タンク２０が開放位置に至ったことを報知するべく機能する。また、図２および図３において、符号「Ａ１」,「Ａ２」,「Ｂ１」,「Ｂ２」,「Ｃ１」,「Ｃ２」,「Ｄ１」,「Ｄ２」,「Ｅ１」,「Ｅ２」,「Ｆ」が、相互に接続する点を示している。
【００３３】
〔実施例１の作用〕
次に、実施例１に係る自動製氷機の作用につき、その運転方法との関係で説明する。
【００３４】
(初期動作および製氷工程について)
前記主制御回路ＥＣ1における第１漏電遮断器ＥＬＢ1を閉じて(主電源のオン)、自動製氷機１０に対する主電源の通電状態とすると、前記マイコンＰＣは、前記貯氷スイッチＳＷ1の状態を確認し、角氷の非検知状態(オフ)となっていれば、製氷−除氷運転が可能な状態にあると判断して、前記リレーＸ4を励磁する。このとき、前記副制御回路ＥＣ2における第２漏電遮断器ＥＬＢ2は開いている(副電源のオフ)と共に、排水用スイッチＳＷ3はオフ状態となっており、各リレーＲ1,Ｒ2,Ｒ3およびアクチュエータモータＡＭへの副電源からの電気の供給はなされない非通電状態となっている。また、第１漏電遮断器ＥＬＢ1を閉じることで前記リレーＲ4が励磁され、これと協働する常閉接点Ｒ4−１ｂ,Ｒ4−２ｂ,Ｒ4−３ｂが夫々開放する。従って、主電源の通電状態において、前記第２漏電遮断器ＥＬＢ2を閉じると共に排水用スイッチＳＷ3をオン状態としても、各リレーＲ1,Ｒ2,Ｒ3およびアクチュエータモータＡＭには副電源からの電気の供給はなされない。
【００３５】
前記リレーＸ4の励磁により閉成された常開接点Ｘ4−ａを介して前記圧縮機ＣＭに通電され、該圧縮機ＣＭが運転(オン)される。また前記リレーＸ1が励磁され、副制御回路ＥＣ2の常閉接点Ｒ1−１ｂ、接点「ａ−ｂ」側(正転側)に接続する切換スイッチＳＷ2、該リレーＸ1に協働して閉成された常開接点Ｘ1−ａおよび副制御回路ＥＣ2の常閉接点Ｒ1−２ｂを介して通電された前記アクチュエータモータＡＭが正転方向に回転され、前記閉成位置に保持されている水皿１８は斜め下方へ傾動し始める。すなわち、ラインＰ１、点「Ａ１」、点「Ａ２」、アクチュエータモータＡＭ、点「Ｂ２」、点「Ｂ２」、Ｎ１が導通状態となる。なお、リレーＸ1に協働して常閉接点Ｘ1−２ｂは開放されるから、前記ポンプモータＰＭは停止状態(オフ)となっている。
【００３６】
前記主電源のオン時には、前記リレーＸ2,Ｘ3は消磁状態に保持されており、該リレーＸ2の常閉接点Ｘ2−ｂを介して通電されたホットガス弁ＨＶは開放(オン)し、前記蒸発器３４にはホットガスが供給される。なお、リレーＸ2の常開接点Ｘ2−ａは開放しているから、前記ファンモータＦＭには通電されず、該モータＦＭは停止状態(オフ)に保持される。また、リレーＸ3の常開接点Ｘ3−ａは開放しており、前記給水弁ＷＶには通電されず、該給水弁ＷＶは閉成(オフ)している。
【００３７】
前記水皿１８が開放位置に到来すると、前記切換スイッチＳＷ2の接点が「ａ−ｃ」側(逆転側)に切換えられる。このとき、前記製氷室１６はホットガスが供給されている蒸発器３４を介して加熱されているから、前記製氷サーミスタＴＨは除氷完了温度を検知しており、従って前記リレーＸ1が消磁され、該リレーＸ1と協働する常閉接点Ｘ1−１ｂが閉成されることで、前記副制御回路ＥＣ2の常閉接点Ｒ1−１ｂ、常閉接点Ｒ2−ｂおよび常閉接点Ｒ1−２ｂを介して前記アクチュエータモータＡＭに通電されて、該モータＡＭは逆転方向に回転され、水皿１８は閉成位置に向けて復帰する。すなわち、ラインＰ１、点「Ａ１」、点「Ａ２」、点「Ｃ１」、点「Ｃ２」、アクチュエータモータＡＭ、点「Ｂ２」、点「Ｂ２」、Ｎ１が導通状態となる。またリレーＸ2が励磁され、これと協働する常開接点Ｘ2−ａが閉成されることでファンモータＦＭが運転(オン)すると共に、リレーＸ2と協働する常閉接点Ｘ2−ｂが開放してホットガス弁ＨＶが閉成(オフ)され、前記蒸発器３４には冷媒が供給される。更に、リレーＸ3が励磁され、これと協働する常開接点Ｘ3−ａが閉成されることで前記給水弁ＷＶが開放(オン)され、前記給水管３６を介して水皿１８上面に水道水(製氷水)が供給され、該製氷水は前記戻り孔を介して製氷水タンク２０に供給される。
【００３８】
前記水皿１８が閉成位置に到来すると、前記切換スイッチＳＷ2の接点が「ａ−ｂ」側に切換えられるが、このとき前記製氷サーミスタＴＨは製氷完了温度を検知していないから、リレーＸ1の常開接点Ｘ1−ａは開放しており、前記アクチュエータモータＡＭの回転は停止されて、水皿１８は閉成位置に保持される。なお前記給水弁ＷＶは、給水タイマによって所定時間後に閉成(オフ)されて、製氷水の供給は停止される。
【００３９】
更に、前記切換スイッチＳＷ2が「ａ−ｂ」側に切換えられた時点で、リレーＸ1の常閉接点Ｘ1−２ｂおよび副制御回路ＥＣ2の常閉接点Ｒ1−３ｂを介してポンプモータＰＭに通電されて該モータＰＭが回転(オン)し、前記製氷水タンク２０内の製氷水は、前記水皿１８に設けた前記多数の噴水孔から各製氷小室内に噴射供給される。製氷小室は、冷媒が循環される蒸発器３４により冷却されているので、製氷水は製氷小室内壁に接触して冷却された後、水皿１８の戻り孔から流下して製氷水タンク２０に帰還する。このように製氷水が製氷水タンク２０と製氷小室との間を循環するに伴い、製氷水の温度は徐々に下がり、その温度が０℃近くに達すると、製氷小室の内壁に製氷水の一部が氷結を始める。このように各製氷小室内での氷結が徐々に進行し、最終的に密実な角氷が生成されるに至る。
【００４０】
(除氷工程について)
前記製氷室１６の製氷小室に完全な角氷が生成された製氷完了温度を、前記製氷サーミスタＴＨが検知すると、リレーＸ2,Ｘ3が消磁され、リレーＸ2と協働する常開接点Ｘ2−ａの開放によりファンモータＦＭが停止(オフ)すると共に、常閉接点Ｘ2−ｂの閉成によりホットガス弁ＨＶが開放(オン)して蒸発器３４にホットガスが供給される。またリレーＸ1が励磁され、該リレーＸ1と協働する常閉接点Ｘ1−２ｂが開放することでポンプモータＰＭが停止(オフ)して製氷水の製氷小室への供給を停止する。更に、リレーＸ1と協働して閉成した常開接点Ｘ1−ａおよび副制御回路ＥＣ2の常閉接点Ｒ1−１ｂ、常閉接点Ｒ1−２ｂを介してアクチュエータモータＡＭに通電されて該モータＡＭは正転方向への回転を開始し、前記水皿１８および製氷水タンク２０は斜め下方へ傾動し始める。そして、水皿１８が開放位置に到来して切換スイッチＳＷ2の接点が「ａ−ｃ」側に切換えられる。このとき、前記リレーＸ1の常閉接点Ｘ1−１ｂは開放しているので、アクチュエータモータＡＭは回転を停止(オフ)し、水皿１８は開放位置に停止保持される。また前記製氷水タンク２０に残留している製氷残水は、該タンク２０の開放端から放出されて前記水案内板３０に衝突し、該水案内板３０とタンク外底面との間を通って前記排水皿２８に排出される。
【００４１】
前記切換スイッチＳＷ2が「ａ−ｃ」側に切換えられた時点で、前記リレーＸ3が励磁され、これと協働とする常開接点がＸ3−ａが閉成されることにより、給水弁ＷＶが開放(オン)され、前記給水管３６を介して傾斜姿勢の水皿１８上面に水道水が供給される。この水道水により、水皿上面に付着している氷が洗い流されると共に噴水孔を塞ぐ氷も融解され、給水弁ＷＶは融氷タイマにより所定時間後に閉成(オフ)される。
【００４２】
前記ホットガス弁ＨＶの開放(オン)により蒸発器３４に供給されているホットガスにより、前記製氷室１６は急速に加温されるに至る。このため各製氷小室と角氷との結合が解除され、当該角氷は自重により落下する。そして、該角氷は開放位置の水皿１８の上面を滑落し、その下方に位置する貯氷室３８内へ案内放出される。この角氷の落下により、製氷室１６におけるマイナスの温度負荷が解除され、該製氷室１６は前記蒸発器３４でのホットガスの流通により一挙に温度上昇を来す。この温度上昇(除氷完了温度)を前記製氷サーミスタＴＨが検知すると、前記リレーＸ1が消磁され、該リレーＸ1と協働する常閉接点Ｘ1−１ｂが閉成することにより、前記アクチュエータモータＡＭは逆転方向への回転が開始される。
【００４３】
また、前記リレーＸ2が励磁され、これと協働する常開接点Ｘ2−ａが閉成してファンモータＦＭが運転(オン)されると共に、常閉接点Ｘ2−ｂが開放してホットガス弁ＨＶが閉成(オフ)され、前記蒸発器３４には冷媒が供給される。更に、リレーＸ3が励磁され、これと協働する常開接点Ｘ3−ａが閉成して給水弁ＷＶが開放(オン)され、前記製氷水タンク２０に製氷水が供給される。そして、前記水皿１８が閉成位置に復帰し、切換スイッチＳＷ2の接点が「ａ−ｂ」側に切換えられることで、前述した製氷工程が再開される。
【００４４】
前述した製氷工程と除氷工程とが反復して貯氷室３８内に所定量の角氷が貯留されたことを前記貯氷スイッチＳＷ1が検知すると、前記マイコンＰＣは、製氷−除氷運転を停止して角氷を製造しない停止状態に移行させるべく、前記リレーＸ4を消磁する。これにより、リレーＸ4と協働する常開接点Ｘ4−ａが開放し、前記圧縮機ＣＭ等各負荷への主電源からの電気の供給が停止される。すなわち、除氷工程中に貯氷スイッチＳＷ1が検知状態(オン)となったときには、前記水皿１８および製氷水タンク２０は開放位置に保持されたまま停止状態に移行され、また製氷工程中に貯氷スイッチＳＷ1が検知状態(オン)となった場合は、水皿１８および製氷水タンク２０は閉成位置に保持されたまま停止状態に移行する。
【００４５】
〔主電源をオフして自動製氷機の運転を停止する場合について〕
(製氷工程中または水皿および製氷水タンクが下降中に主電源をオフする場合)
前記製氷工程中または水皿１８および製氷水タンク２０が下降中に、前記第１漏電遮断器ＥＬＢ1を開いて主電源からの電気の供給を遮断したときには、前記切換スイッチＳＷ2の接点は「ａ−ｂ」側となっている。この状態で、前記製氷水タンク２０内の製氷水や製氷残水を排出する排水制御運転を行なう場合は、前記第２漏電遮断器ＥＬＢ2を閉じて副制御回路ＥＣ2を副電源の通電状態としたもとで、前記排水用スイッチＳＷ3をオンする。このとき、前記リレーＲ4は主電源の非通電状態により消磁しているから、これと協働する常閉接点Ｒ4−１ｂを介して第１ランプＬ1に通電されて該ランプＬ1が点灯し、自動製氷機１０への主電源の非通電状態、すなわち排水制御運転中であることが報知される。
【００４６】
前記リレーＲ4と協働する常閉接点Ｒ4−２ｂ,Ｒ4−３ｂおよび排水用スイッチＳＷ3を介してリレーＲ1が励磁され、これと協働する常開接点Ｒ1−１ａが閉成し、ラインＰ２と切換スイッチＳＷ2の可動接点「ａ」とが導通状態とされる。また、リレーＲ1と協働して閉成した常開接点Ｒ1−３ａおよび主制御回路ＥＣ1における常閉接点Ｘ1−２ｂを介してラインＮ２と切換スイッチＳＷ2の固定接点「ｂ」とが導通状態となることでリレーＲ3が励磁され、これと協働する常開接点Ｒ3−ａが閉成することでリレーＲ2が励磁される。そして、該リレーＲ2と協働する常開接点Ｒ2−１ａが閉成し、該リレーＲ2は自己保持される。
【００４７】
前記リレーＲ1と協働する常開接点Ｒ1−２ａが閉成すると共に、前記リレーＲ2と協働する常開接点Ｒ2−２ａが閉成することで、副電源からの電気がアクチュエータモータＡＭの正転側に供給される。すなわち、ラインＰ２、点「Ａ２」、点「Ｄ１」、点「Ｆ」、アクチュエータモータＡＭ、点「Ｂ２」、Ｎ２が導通状態となり、アクチュエータモータＡＭが正転駆動されることで、前記水皿１８および製氷水タンク２０は下方に傾動して、該タンク２０内の製氷水や製氷残水は前記排水皿２８に排出される。なお、リレーＲ1と協働する常閉接点Ｒ1−２ｂおよび常閉接点Ｒ1−３ｂは開放し、前記ポンプモータＰＭへは副電源からの電気は供給されな、該モータＰＭが運転されることはない。
【００４８】
そして、水皿１８および製氷水タンク２０が開放位置に到来して切換スイッチＳＷ2の接点が「ａ−ｃ」側に切換えられると、アクチュエータモータＡＭへの通電は遮断されて回転を停止(オフ)し、水皿１８および製氷水タンク２０は開放位置に停止保持される。すなわち、副制御回路ＥＣ2においてリレーＲ2と協働する常開接点Ｒ2−ｂは開放しているから、点「Ｃ１−Ｃ２」間は開放しており、アクチュエータモータＡＭに副電源から電気が供給されなくなる。なお、切換スイッチＳＷ2の接点が「ａ−ｃ」側に切換えられることで、前記リレーＲ3への通電が遮断されて消磁され、これと協働する常開接点Ｒ3−ａは開放するが、前記リレーＲ2は常開接点Ｒ2−１ａにより自己保持される。従って、リレーＲ2と協働する常開接点Ｒ2−３ａは閉成しており、ラインＰ２、点「Ａ２」、点「Ｃ１」、第２ランプＬ2、Ｎ２が導通状態となり、該ランプＬ2が点灯することで、水皿１８および製氷水タンク２０が開放位置に至ったことが報知される。
【００４９】
なお、前記切換スイッチＳＷ2の接点が「ａ−ｃ」側に切換えられたときには、前記アクチュエータモータＡＭを含むその他の負荷に対して通電されない状態となり、自動製氷機１０が運転を再開することはなく、前記水皿１８および製氷水タンク２０は開放位置に保持される。従って、作業者は、前記第２ランプＬ2が点灯した以後であれば、排水用スイッチＳＷ3のオフまたは第２漏電遮断器ＥＬＢ2の開放を何時行なってもよく、作業者は、製氷機のカバーを外したり氷取出口等から製氷機内部を覗き込んで水皿１８および製氷水タンク２０の状態を確認する必要はなく、煩わしい作業を省くことができる。
【００５０】
(除氷工程中または水皿および製氷水タンクが上昇中に主電源をオフする場合)
前記除氷工程中または水皿１８および製氷水タンク２０が上昇中に、前記第１漏電遮断器ＥＬＢ1を開いて主電源からの電気の供給を遮断したときには、前記切換スイッチＳＷ2の接点は「ａ−ｃ」側となっている。この状態で、前記製氷水タンク２０内の製氷水や製氷残水を排出する排水制御運転を行なう場合は、前記第２漏電遮断器ＥＬＢ2を閉じて副制御回路ＥＣ2を副電源の通電状態としたもとで、前記排水用スイッチＳＷ3をオンする。このとき、前述したと同様に前記リレーＲ4は消磁しているから、これと協働する常閉接点Ｒ4−１ｂを介して第１ランプＬ1に通電されて該ランプＬ1が点灯し、自動製氷機１０への主電源の非通電状態、すなわち排水制御運転中であることが報知される。
【００５１】
前記リレーＲ4と協働する常閉接点Ｒ4−２ｂ,Ｒ4−３ｂおよび排水用スイッチＳＷ3を介してリレーＲ1が励磁され、これと協働する常開接点Ｒ1−１ａが閉成し、ラインＰ２と切換スイッチＳＷ2の可動接点「ａ」とが導通状態とされる。そして、リレーＲ1と協働する常開接点Ｒ1−２ａが閉成することで、副電源からの電気がアクチュエータモータＡＭの逆転側に供給され、該モータＡＭが逆転して水皿１８および製氷水タンク２０は閉成位置に向けて上昇する。すなわち、ラインＰ２、点「Ａ２」、点「Ｃ１」、点「Ｃ２」、アクチュエータモータＡＭ、点「Ｂ２」、Ｎ２が導通状態となり、アクチュエータモータＡＭが逆転駆動されることで、前記水皿１８および製氷水タンク２０は上方に向けて傾動する。
【００５２】
そして、前記水皿１８が閉成位置に至り、前記切換スイッチＳＷ2の接点が「ａ−ｂ」に切換えられると、前述した製氷工程中等における排水制御運転の場合と同様に、アクュエータモータＡＭが正転駆動されて水皿１８および製氷水タンク２０を開放位置まで傾動した後に停止保持する。そして、製氷水タンク２０内の製氷水や製氷残水は前記排水皿２８に排出され、この状態は、前記第２ランプＬ2が点灯することで報知される。
【００５３】
すなわち、作業者は主電源をオフした後に、第２漏電遮断器ＥＬＢ2を閉じると共に排水用スイッチＳＷ3をオンすることで副電源をオンするだけで、前記アクチュエータモータＡＭが駆動(開閉機構２２が作動)されて、前記製氷水タンク２０を開放位置に向けて傾動し、該製氷水タンク２０内に残留している製氷水や製氷残水等を全て排出することができる。しかも、副電源をオフしなくても、製氷水タンク２０は開放位置に保持されるから、作業者が製氷水タンク２０の状態を確認して副電源をオフする必要はなく、作業が簡単となる。また製氷水タンク２０が開放位置に到来したことを、前記第２ランプＬ2を点灯することで報知するから、該ランプＬ2の点灯以後に、作業者が必要に応じて副電源をオフすればよい。
【００５４】
なお、排水制御運転を行なうための副制御回路ＥＣ2の構成は、図３に示すものに限られるものではなく、主電源をオフした状態で副電源をオンしたときに、開閉機構２２を作動して製氷水タンク２０を開放位置に向けて傾動して該位置で停止保持し得るものであればよい。
【実施例２】
【００５５】
図４は、実施例２に係る自動製氷機における副制御回路を示すものであって、主制御回路から切り離した状態で示している。この実施例２では、複数の自動製氷機の排水制御運転を一度に行ない得るよう構成したものであって、各自動製氷機における主制御回路については、実施例１と同一であり、副制御回路の構成のみが異なっているから、主制御回路の説明は省略する。なお、実施例１で説明した同一部品については、同じ符号で示すこととする。
【００５６】
実施例２に係る副制御回路ＥＣ2−１は、全ての自動製氷機１０に排水制御運転を行なわせるのに容易な場所に設置される第１制御部４０と、該第１制御部４０とケーブル等の配線により接続されて各自動製氷機１０の個々に設けられる第２制御部４２とから構成され、全ての第１制御部４０が共通の副電源に接続されるよう構成してある。
【００５７】
図４に示す如く、副電源に接続するラインＰ２とラインＮ２との間に、第２漏電遮断機ＥＬＢ2と、統括スイッチＳＷ4に直列接続する統括リレーＲ5とが並列に接続される。そして、このラインＰ２とラインＮ２に、統括スイッチＳＷ4と並列の関係で、各自動製氷機１０に対応する第１制御部４０が夫々接続されている。なお、各自動製氷機１０に対応する第１制御部４０の構成は同じである。
【００５８】
前記第１制御部４０は、ラインＰ２とラインＮ２との間に、排水用スイッチＳＷ3が接続され、該排水用スイッチＳＷ3のオン−オフ操作によって、対応する自動製氷機１０の第２制御部４２に設けられる各リレーＲ1,Ｒ2,Ｒ3および前記アクチュエータモータＡＭへの副電源からの電気の供給と停止とが制御されるよう構成してある。また、排水用スイッチＳＷ3のラインＰ２に接続する接点と並列の関係で、統括リレーＲ5の常開接点Ｒ5−１ａがラインＰ２に接続されると共に、排水用スイッチＳＷ3のラインＮ２に接続する接点と並列の関係で、統括リレーＲ5の常開接点Ｒ5−２ａがラインＮ２に接続される。そして、前記統括スイッチＳＷ4をオンすることで統括リレーＲ5を励磁した際に、各第１制御部４０の常開接点Ｒ5−１ａ,Ｒ5−２ａが夫々閉成し、前記排水用スイッチＳＷ3をオンしたと同じ状態となるよう構成される。すなわち、統括スイッチＳＷ4をオンするだけで、全ての自動製氷機１０の排水用スイッチＳＷ3を夫々オンしたと同じ状態とし得る。
【００５９】
前記第１制御部４０における前記常開接点Ｒ5−１ａに接続する点「Ｈ１」は、対応する第２制御部４２におけるリレーＲ4の常閉接点Ｒ4−２ｂに接続する点「Ｈ１」に接続されると共に、前記常開接点Ｒ5−２ａに接続する点「Ｈ３」は、第２制御部４２におけるリレーＲ4の常閉接点Ｒ4−３ｂに接続される点「Ｈ３」に接続される。また常開接点Ｒ5−２ａに第１ランプＬ1を介して接続する点「Ｈ２」は、第２制御部４２におけるリレーＲ4の常閉接点Ｒ4−１ｂに接続される点「Ｈ２」に接続される。更に、排水用スイッチＳＷ3のラインＮ２に接続する接点に第２ランプＬ2を介して接続する点「Ｈ４」は、第２制御部４２におけるリレーＲ2の常開接点Ｒ2−３ａに接続される点「Ｈ４」に接続される。前記第１ランプＬ1およびＬ2は、実施例１と同様に、第１ランプＬ1が消灯することで主制御回路ＥＣ1への主電源の通電状態を報知し、第１ランプＬ2が点灯することで製氷水タンク２０が開放位置に至ったことを報知するべく機能する。
【００６０】
なお、実施例２における各自動製氷機１０に対応して配設される各第２制御部４２のその他の構成は、実施例１と同じである。
【００６１】
〔実施例２の作用〕
実施例２の自動製氷機における製氷−除氷運転は、実施例１と同じであるので、排水制御運転を行なう場合の作用についてのみ説明する。実施例２において、各自動製氷機１０の排水制御運転を個別に行なう場合は、前記第２漏電遮断器ＥＬＢ2を閉じたもとで、各副制御回路ＥＣ2−１における第１制御部４０の排水スイッチＳＷ3をオンし、対応する第２制御部４２への副電源の通電状態とする。これにより、実施例１と同様に、主電源をオフしたときの各自動製氷機１０の運転状態に応じて、前記開閉機構２２(アクチュエータモータＡＭ)が作動して、前記水皿１８および製氷水タンク２０は開放位置まで下降し、該タンク２０内の全ての製氷水や製氷残水は前記排水皿２８に排出される。
【００６２】
次に、一度に全ての自動製氷機１０における排水制御運転を行なう場合は、主電源から全ての自動製氷機１０への電気の供給を停止(主電源のオフ)すると共に、前記第２漏電遮断器ＥＬＢ2を閉じたもとで、前記統括スイッチＳＷ4をオンする。これにより、前記統括リレーＲ5が励磁され、各自動製氷機１０に対応する第１制御部４０の常開接点Ｒ5−１ａ,Ｒ5−２ａが夫々閉成することで、全ての第２制御部４２に対して副電源が通電状態となる。従って、全ての自動製氷機１０は、前述したと同様に水皿１８および製氷水タンク２０が開放位置まで下降し、該タンク２０内の全ての製氷水や製氷残水は前記排水皿２８に排出される。なお、各自動製氷機１０において主電源がオフされた時点での運転状態が異なっている場合があるが、各副制御回路ＥＣ2−１は、製氷水タンク２０が開放位置に至ったことを報知する第２ランプＬ2を夫々備えているから、全ての第２ランプＬ2が点灯した以後に、統括スイッチＳＷ4のオフあるいは第２漏電遮断器ＥＬＢ2を開くことで、排水制御運転を終了させることができる。
【００６３】
すなわち、実施例２においては、複数の自動製氷機１０の排水制御運転を一度に行なうことができるから、各自動製氷機毎に操作する必要はなく、作業が簡略化されると共に作業時間の短縮化を図り得る。なお、実施例２においては、全ての自動製氷機１０に対して共通の主電源から電気を供給するよう構成し、そのオン−オフ操作を一箇所で行ない得るようにすることで、作業が簡単となる。
【実施例３】
【００６４】
図５および図６は、実施例３に係る自動製氷機における制御回路を示すものであって、前記実施例１や実施例２では、排水制御運転に際して主電源とは別の副電源により開閉機構２２を作動して水皿１８および製氷水タンク２０を開放位置に下降させるよう構成したが、この実施例３では、副電源を用いることなく主電源を利用して開閉機構２２を作動して水皿１８および製氷水タンク２０を開放位置に下降させるよう構成してある。なお、主制御回路および副制御回路の基本構成については、実施例１と同じであるので、異なる部分についてのみ説明すると共に、同一部品については、同じ符号で示すこととする。
【００６５】
図６に示す如く、実施例３の副制御回路ＥＣ2−２は、主制御回路ＥＣ1−２における第１漏電遮断器ＥＬＢ1のラインＰ１側の接点に接続する点「Ｇ１」と、ラインＮ１側の接点に接続する点「Ｇ２」との間に、第１漏電遮断器ＥＬＢ1と並列の関係で、リレーＲ1と直列接続される排水用スイッチＳＷ3が接続されると共に、ラインＰ１とリレーＲ1との間に常開接点Ｒ1−５ａが排水用スイッチＳＷ3と並列の関係で接続されている。そして、該排水用スイッチＳＷ3のオン−オフ操作により、副制御回路ＥＣ2−２に設けられる各リレーＲ1,Ｒ2,Ｒ3および前記アクチュエータモータＡＭへの主電源からの電気の供給と停止とが制御されるよう構成してある。また、ラインＰ１側の前記点「Ｇ１」と点「Ｇ３」との間に、リレーＲ1の常閉接点Ｒ1−４ｂが接続されると共に、点「Ｇ１」には常開接点Ｒ1−４ａが接続される。
【００６６】
図６に示す如く、ラインＰ１とラインＮ１との間に、前記常開接点Ｒ1−４ａおよびリレーＲ3の常開接点Ｒ3−ａに直列接続されるリレーＲ2が接続されると共に、リレーＲ2と常開接点Ｒ1−４ａとの間には、前記常開接点Ｒ3−ａと並列の関係でリレーＲ2の常開接点Ｒ2−１ａが接続されている。また常開接点Ｒ1−４ａに直列接続するリレーＲ1の常開接点Ｒ1−１ａが、前記切換スイッチＳＷ2の可動接点「ａ」と、常開接点Ｘ2−ａ,常閉接点Ｘ2−ｂおよび常開接点Ｘ3−ａとを接続する線における可動接点「ａ」側の点「Ａ２」に接続されると共に、該常開接点Ｒ1−１ａに直列接続されるリレーＲ1の常閉接点Ｒ1−１ｂが、常開接点Ｘ2−ａ,常閉接点Ｘ2−ｂおよび常開接点Ｘ3−ａ側の点「Ａ１」に接続されている。
【００６７】
前記ラインＮ１の点「Ｇ２」に接続するリレーＲ3と直列接続されるリレーＲ1の常開接点Ｒ1−３ａが、前記ポンプモータＰＭと常閉接点Ｘ1−２ｂとを接続する線における常閉接点Ｘ1−２ｂ側の点「Ｄ１」に接続されると共に、該常開接点Ｒ1−３ａに直列接続されるリレーＲ1の常閉接点Ｒ1−３ｂが、ポンプモータＰＭ側の点「Ｄ２」に接続される。また、常閉接点Ｒ1−３ｂと並列の関係で常開接点Ｒ1−３ａに直列接続されるリレーＲ2の常開接点Ｒ2−２ａが、アクチュエータモータＡＭとその正転側の接点とを接続する線の点「Ｆ」に接続されている。
【００６８】
前記ラインＮ１の点「Ｇ２」にランプＬを介して接続するリレーＲ2の常開接点Ｒ2−３ａが、前記アクチュエータモータＡＭの逆転側の接点と常閉接点Ｘ1−１ｂとを接続する線における常閉接点Ｘ1−１ｂ側の点「Ｃ１」に接続されると共に、該常開接点Ｒ2−３ａに直列接続されるリレーＲ2の常閉接点Ｒ2−ｂが、逆転側の接点側の点「Ｃ２」に接続されている。なおランプＬは、排水制御運転に際して点灯することで、前記水皿１８および製氷水タンク２０が開放位置に至ったことを知らせるべく機能する。また、図５および図６において、符号「Ａ１」,「Ａ２」,「Ｃ１」,「Ｃ２」,「Ｄ１」,「Ｄ２」,「Ｆ」,「Ｇ１」,「Ｇ２」,「Ｇ３」が、相互に接続する点を示している。
【００６９】
〔実施例３の作用〕
実施例３の自動製氷機における製氷−除氷運転は、実施例１と同じであるので、排水制御運転を行なう場合の作用についてのみ説明する。実施例３において、主電源(第１漏電遮断器ＥＬＢ1)をオフして自動製氷機の運転を停止する場合は、該主電源のオフの前に、前記排水用スイッチＳＷ3をオンすることで、前記開閉機構２２が作動されて、前記製氷水タンク２０内の製氷水や製氷残水を排出する排水制御運転が行なわれる。
【００７０】
(製氷工程中または水皿および製氷水タンクが下降中に排水用スイッチをオフした場合)
前記製氷工程中または水皿１８および製氷水タンク２０が下降中においては、前記切換スイッチＳＷ2の接点は「ａ−ｂ」側となっている。この状態で、前記排水用スイッチＳＷ3をオンするとリレーＲ1が励磁され、これと協働する常開接点Ｒ1−５ａが閉成し、該リレーＲ1は自己保持される。またリレーＲ1と協働する常開接点Ｒ1−４ａ,Ｒ1−１ａが閉成し、ラインＰ１と切換スイッチＳＷ2の可動接点「ａ」とが導通状態とされる。更に、リレーＲ1と協働して閉成した常開接点Ｒ1−３ａおよび主制御回路ＥＣ1−２における常閉接点Ｘ1−２ｂを介してラインＮ１と切換スイッチＳＷ2の固定接点「ｂ」とが導通状態となることでリレーＲ3が励磁され、これと協働する常開接点Ｒ3−ａが閉成してリレーＲ2が励磁される。そして、該リレーＲ2と協働する常開接点Ｒ2−１ａが閉成し、該リレーＲ2は自己保持される。
【００７１】
前記リレーＲ2と協働して常開接点Ｒ2−２ａが閉成することで、主電源からの電気がアクチュエータモータＡＭの正転側に供給される。すなわち、ラインＰ１、点「Ｇ１」、点「Ａ２」、点「Ｄ１」、点「Ｆ」、アクチュエータモータＡＭ、Ｎ２が導通状態となり、アクチュエータモータＡＭが正転駆動されることで、前記水皿１８および製氷水タンク２０は下方に傾動して、該タンク２０内の製氷水や製氷残水は前記排水皿２８に排出される。
【００７２】
そして、水皿１８および製氷水タンク２０が開放位置に到来して切換スイッチＳＷ2の接点が「ａ−ｃ」側に切換えられると、アクチュエータモータＡＭへの通電は遮断されて回転を停止(オフ)し、水皿１８および製氷水タンク２０は開放位置に停止保持される。すなわち、副制御回路ＥＣ2−２におけるリレーＲ2と協働する常閉接点Ｒ2−ｂは開放しているから、点「Ｃ１−Ｃ２」間は非導通状態となっており、アクチュエータモータＡＭへの電気の供給はなされない。なお、切換スイッチＳＷ2の接点が「ａ−ｃ」側に切換えられることで、前記リレーＲ3への通電が遮断されて消磁され、これと協働する常開接点Ｒ3−ａは開放するが、前記リレーＲ2は常開接点Ｒ2−１ａにより自己保持される。従って、リレーＲ2と協働する常開接点Ｒ2−３ａは閉成しており、ラインＰ１、点「Ｇ１」、点「Ａ２」、点「Ｃ１」、ランプＬ、Ｎ２が導通状態となり、該ランプＬが点灯することで、水皿１８および製氷水タンク２０が開放位置に至ったことが報知される。
【００７３】
なお、前記切換スイッチＳＷ2の接点が「ａ−ｃ」側に切換えられても、前記アクチュエータモータＡＭを含む各負荷に対しても通電されないから、自動製氷機１０が運転を再開することはない。従って、作業者は、前記ランプＬが点灯した以後であれば、排水用スイッチＳＷ3のオフまたは主電源のオフ(第１漏電遮断器ＥＬＢ1を開放)を何時行なってもよく、作業者は、製氷機のカバーを外したり氷取出口等から製氷機内部を覗き込んで水皿１８および製氷水タンク２０の状態を確認する必要はなく、煩わしい作業を省くことができる。
【００７４】
(除氷工程中または水皿および製氷水タンクが上昇中に排水用スイッチをオフする場合)
前記除氷工程中または水皿１８および製氷水タンク２０が上昇中には、前記切換スイッチＳＷ2の接点は「ａ−ｃ」側となっている。この状態で、前記排水用スイッチＳＷ3をオンすると、前述したと同様に前記リレーＲ1が励磁されると共に、これと協働する常開接点Ｒ1−５ａの閉成により自己保持される。そして、リレーＲ1と協働する常開接点Ｒ1−４ａ,Ｒ1−１ａが閉成することで、主電源からの電気がアクチュエータモータＡＭの逆転側に供給され、該モータＡＭが逆転して水皿１８および製氷水タンク２０は閉成位置に向けて上昇する。すなわち、ラインＰ１、点「Ｇ１」、点「Ａ２」、点「Ｃ１」、点「Ｃ２」、アクチュエータモータＡＭ、Ｎ２が導通状態となり、アクチュエータモータＡＭが逆転駆動される。
【００７５】
前記水皿１８が閉成位置に至り、前記切換スイッチＳＷ2の接点が「ａ−ｂ」に切換えられると、前述した製氷工程中等における排水制御運転の場合と同様に、アクュエータモータＡＭが正転駆動されて水皿１８および製氷水タンク２０を開放位置まで傾動した後に停止保持する。これにより、製氷水タンク２０内の製氷水や製氷残水は前記排水皿２８に排出され、この状態は、前記ランプＬが点灯することで報知される。
【００７６】
すなわち、作業者は主電源をオフする前に、排水用スイッチＳＷ3をオンするだけで、前記製氷水タンク２０内に残留している製氷水や製氷残水等を全て排出することができる。しかも、製氷水タンク２０が開放位置に至った以後は、アクチュエータモータＡＭを含む各負荷への主電源からの電気の供給はなされないから、作業者は主電源をオフする際に製氷水タンク２０の状態を確認する必要はなく、作業が簡単となる。また製氷水タンク２０が開放位置に到来したことを、前記ランプＬを点灯することで報知するから、該ランプＬの点灯以後に、作業者が主電源をオフすればよい。
【００７７】
なお、排水制御運転を行なうための副制御回路ＥＣ2−２の構成は、図６に示すものに限られるものではなく、主電源をオフする前に排水用スイッチＳＷ3をオンしたときに、開閉機構２２を作動して製氷水タンク２０を開放位置に向けて傾動して該位置で停止保持し得るものであればよい。
【実施例４】
【００７８】
図７および図８は、実施例４に係る自動製氷機における制御回路を示すものであって、前述した実施例３の副制御回路ＥＣ2−２を用いて複数の自動製氷機を同時に運転制御し得るようにしたものである。なお、実施例４に係る主制御回路ＥＣ1−２および副制御回路ＥＣ2−２の基本的な構成は実施例３と同じであるので、異なる部分についてのみ説明すると共に、同一部品については、同じ符号で示すこととする。
【００７９】
実施例４においては、全ての自動製氷機を統括して制御する統括回路ＥＣ3が、統括制御盤に配設される。この統括回路ＥＣ3は、主電源とは別の電源に接続する統括漏電遮断器ＥＬＢ3を介して直列に接続される統括スイッチＳＷ4および統括リレーＲ5を備え、該統括スイッチＳＷ4のオン−オフ操作により、全ての自動製氷機１０に対する主電源からの電気の供給と停止とを制御するよう構成してある。また統括制御盤には、各自動製氷機１０における副制御回路ＥＣ2−２の夫々に対応する統括用副制御回路ＣＥＣ2が配設されている。なお、各自動製氷機１０に対応する統括用副制御回路ＣＥＣ2の構成は同じである。
【００８０】
前記統括用副制御回路ＣＥＣ2は、前記統括リレーＲ5と協働する常開接点Ｒ5−３ａと、この常開接点Ｒ5−３ａに並列に接続される単独スイッチＳＷ5とを備え、該常開接点Ｒ5−３ａおよび単独スイッチＳＷ5は、対応する副制御回路ＥＣ2−２における排水用スイッチＳＷ3と並列の関係となるよう、該スイッチＳＷ3を挟む点「Ｍ１」,「Ｍ２」に接続されている。また統括用副制御回路ＣＥＣ2は、製氷水タンク２０の開放位置への到来を報知する統括ランプＬ3を備え、該ランプＬ3が、副制御回路ＥＣ2−２におけるランプＬと並列の関係となるよう、該ランプＬを挟む点「Ｑ１」,「Ｑ２」に接続されている。なお、図７および図８において、符号「Ｍ１」,「Ｍ２」,「Ｑ１」,「Ｑ２」が、相互に接続する点を示している。
【００８１】
〔実施例４の作用〕
実施例４の自動製氷機における製氷−除氷運転は、実施例３と同じであるので、排水制御運転を行なう場合の作用についてのみ説明する。実施例４において、各自動製氷機１０の排水制御運転を個別に行なう場合は、主電源をオフする前に、前記統括制御盤に設けられた対応する統括副制御回路ＣＥＣ2の単独スイッチＳＷ5をオンする。これにより、各自動製氷機１０に設けられている副制御回路ＥＣ2−２の排水用スイッチＳＷ3をオンした状態と同じとなり、実施例３と同様に、該単独スイッチＳＷ5のオン時における自動製氷機１０の運転状況に応じて、前記開閉機構２２が作動されて、前記水皿１８および製氷水タンク２０は開放位置まで下降し、該タンク２０内の全ての製氷水や製氷残水は前記排水皿２８に排出される。なお、各自動製氷機１０に設けられている副制御回路ＥＣ2−２の排水用スイッチＳＷ3をオンすることでも、排水制御運転を各自動製氷機１０毎に単独で行なうことができる。また各自動製氷機１０で排水制御運転が実施され、製氷水タンク２０が開放位置に至ったときには、対応する統括ランプＬ3が点灯するので、作業者は点灯後に主電源をオフすればよい。
【００８２】
次に、一度に全ての自動製氷機１０に排水制御運転を行なわせる場合は、前記統括回路ＥＣ3の統括漏電遮断器ＥＬＢ3を閉じたもとで、前記統括スイッチＳＷ4をオンする。これにより、前記統括リレーＲ5が励磁され、これと協働する全ての常開接点Ｒ5−３ａが閉成することで、全ての自動製氷機１０に設けられている副制御回路ＥＣ2−２の排水用スイッチＳＷ3をオンした状態と同じとなる。従って、全ての自動製氷機１０は、前述したと同様に水皿１８および製氷水タンク２０が開放位置まで下降し、該タンク２０内の全ての製氷水や製氷残水は前記排水皿２８に排出される。
【００８３】
すなわち、実施例４においては、複数の自動製氷機１０の排水制御運転を一度に行なうことができるから、各自動製氷機毎に操作する必要はなく、作業が簡略化されると共に、作業時間の短縮化を図り得る。なお、実施例４においては、全ての自動製氷機１０に対して共通の主電源から電気を供給するよう構成し、そのオン−オフ操作を行なう手段を統括制御盤の近傍に設置することで、作業が更に簡単となる。
【実施例５】
【００８４】
図９は、実施例５に係る自動製氷機における主制御回路を示すものであって、その基本的な構成は、前記実施例１の主制御回路ＥＣ1と同じであるが、排水制御運転のための副制御回路は備えていない。なお、主制御回路ＥＣ1に関連して説明した既出の同一部品については、同じ符号で示して詳細説明は省略する。
【００８５】
すなわち、実施例５では、図１に示す製氷水タンク２０において、該タンク２０が閉成位置および開放位置の何れの位置に臨んでいる状態においても、タンク内の製氷水や製氷残水を全て排出し得る位置に排水口を設けると共に、該排水口にピンチバルブ等の排水バルブＰｖが接続される。そして、排水バルブＰｖを開放することで、製氷水タンク２０内の製氷水や製氷残水を、前記排水皿２８や排水経路に排出し得るよう構成してある。また排水バルブＰｖは、図９に示す主制御回路ＥＣ1−３において、ラインＰ１とラインＮ１との間に、前記第１漏電遮断器ＥＬＢ1と並列の関係で接続され、該遮断器ＥＬＢ1を閉じて主電源が主制御回路ＥＣ1−３に通電された状態(自動製氷機１０への通電状態)では閉成状態に保持されると共に、遮断器ＥＬＢ1を開いて主電源が主制御回路ＥＣ1−３に通電されなくなった状態(自動製氷機１０への非通電状態)では開放状態となるよう設定されている。なお、排水バルブＰｖは、ピンチバルブに限定されるものでなく、非通電状態となったときに開放でき、略圧力差がなくても製氷水や製氷残水を排出可能なものであれば、その他のバルブを採用し得る。
【００８６】
〔実施例５の作用〕
次に、実施例５の自動製氷機の作用につき説明する。該実施例５の自動製氷機における製氷−除氷運転に際しては、前記主電源からの電気が排水バルブＰｖに供給され、該バルブＰｖは閉成状態に保持される。従って、前記製氷水タンク２０内には製氷水が貯留可能であって、実施例１と同様の製氷−除氷運転が反復される。
【００８７】
自動製氷機１０の運転を停止するべく、主電源(第１漏電遮断器ＥＬＢ1)をオフすると、前記排水バルブＰｖへの電気の供給が遮断され、該バルブＰｖは開放状態となる。従って、前記製氷水タンク２０の姿勢、すなわち自動製氷機１０の運転状態に関係なく、タンク２０内の製氷水や製氷残水は、排水口および排水バルブＰｖを介して前記排水皿２８や排水経路に排出される。
【００８８】
実施例５に係る自動製氷機１０では、主電源をオフするだけで、製氷水タンク内に残留する製氷水や製氷残水を全て排出することができる。すなわち、製氷水タンク２０内に残留する製氷水や製氷残水を排出するためだけの操作を行なう必要はなく、作業が簡単となる。また、例えば製氷工程の途中において、前述した各実施例のように製氷水タンク２０を強制的に開放位置まで下降して保持する場合、時間の経過と共に前記製氷室１６に生成されている不完全な氷が落下して水皿１８を介して貯氷室３８に放出されるが、実施例５の場合は水皿１８および製氷水タンク２０を閉成位置に保持したまま排水するから、不完全な氷が貯氷室３８に放出されるのを防ぐことができる。
【図面の簡単な説明】
【００８９】
【図１】本発明の好適な実施例１に係る自動製氷機を示す概略図である。
【図２】実施例１に係る自動製氷機の主制御回路を示す回路図である。
【図３】実施例１に係る自動製氷機の副制御回路を示す回路図である。
【図４】実施例２に係る自動製氷機の副制御回路を示す回路図である。
【図５】実施例３に係る自動製氷機の主制御回路を示す回路図である。
【図６】実施例３に係る自動製氷機の副制御回路を示す回路図である。
【図７】実施例４に係る自動製氷機の副制御回路を示す回路図である。
【図８】実施例４に係る自動製氷機の統括用の制御回路を示す回路図である。
【図９】実施例５に係る自動製氷機の主制御回路を示す回路図である。
【符号の説明】
【００９０】
１６ 製氷室，１８ 水皿，２０ 製氷水タンク，２２ 開閉機構
３４ 蒸発器，ＳＷ3 排水用スイッチ，ＳＷ4 統括スイッチ，Ｐｖ 排水バルブ
【図１】
2005127543.tif 000003
【図２】
2005127543.tif 000004
【図３】
2005127543.tif 000005
【図４】
2005127543.tif 000006
【図５】
2005127543.tif 000007
【図６】
2005127543.tif 000008
【図７】
2005127543.tif 000009
【図８】
2005127543.tif 000010
【図９】
2005127543.tif 000011